(57)【特許請求の範囲】
【請求項１】
波形データ読出方法において、
記憶手段に対してロール記録し前記記憶手段の一部分にトリガ信号の有無を示すデータを格納した波形データの読み出し時に、
ロール表示すべきデータを読み出すと共に読み出された波形データのトリガ信号の有無を示すデータをチェックしておき、
前記トリガ信号が存在する場合にはトリガ点前後のヒストリー表示すべき範囲を求めてデータを読み出す
ことを特徴とする波形データ読出方法。
【請求項２】
波形データ読出方法において、
記憶手段に対してロール記録し前記記憶手段のメモリアドレスをトリガ信号に同期してラッチした波形データの読み出し時に、
ロール表示すべきデータを読み出すと共にラッチされたメモリアドレスに基づきヒストリー表示すべき範囲を求めてデータを読み出すこと
を特徴とする波形データ読出方法。
【請求項３】
波形観測装置において、
記憶手段と、
波形を取り込むＡ／Ｄ変換器と、
このＡ／Ｄ変換器で取り込んだ波形データを前記記憶手段に対してロール記録すると共に前記記憶手段の一部分にトリガ信号の有無を示すデータを格納する制御回路と、
この制御回路からの転送データを表示する表示手段と、
前記記憶手段からの出力データから前記トリガ信号の有無を示すデータを検出するトリガアドレス検出回路と、
このトリガアドレス検出回路の出力に基づきヒストリー表示すべき範囲を演算して出力する表示開始アドレス演算回路とを備え、
前記制御回路が前記記憶手段からロール表示すべきデータを読み出すと共に前記表示開始アドレス演算回路の出力に基づきヒストリー表示すべきデータ読み出して前記表示手段に転送することを特徴とする波形観測装置。
【請求項４】
波形観測装置において、
記憶手段と、
波形を取り込むＡ／Ｄ変換器と、
このＡ／Ｄ変換器で取り込んだ波形データを前記記憶手段に対してロール記録する制御回路と、
ロール記録した前記記憶手段のメモリアドレスをトリガ信号に同期してラッチするトリガアドレスラッチ回路と、
ラッチしたメモリアドレスを格納するトリガアドレステーブルと、
このトリガアドレステーブルの出力に基づきヒストリー表示すべき範囲を演算して出力する表示開始アドレス演算回路とを備え、
前記制御回路が前記記憶手段からロール表示すべきデータを読み出すと共に前記表示開始アドレス演算回路の出力に基づきヒストリー表示すべきデータ読み出して前記表示手段に転送することを特徴とする波形観測装置。
【請求項５】
前記表示手段が、
前記ロール表示と前記ヒストリー表示とを同一画面上に表示することを特徴とする
請求項３及び請求項４記載の波形観測装置。
【請求項６】
ロール表示画面上にトリガ点のマークを付加することを特徴とする
請求項５記載の波形観測装置。
【請求項７】
ロール表示画面上のロール表示波形のうちヒストリー表示されている部分を範囲表示することを特徴とする
請求項５記載の波形観測装置。
【請求項８】
前記マークの近傍に履歴表示をすることを特徴とする
請求項６記載の波形観測装置。
【発明の詳細な説明】
【０００１】
【発明の属する技術分野】
本発明は、波形記録方法に関し、特にロール記録及びヒストリー記録の両立が可能な波形記録方法並びに記録した波形データの読み出しの両立が可能な波形データ読出方法及びこれを用いた波形観測装置に関する。
【０００２】
【従来の技術】
従来の波形の記録方法としては一般に連続した波形を連続して順次記録するロール記録と、トリガ点を基点としてその前後の波形を記録するヒストリー記録とが存在する。
【０００３】
前者の波形記録方法はチャート印刷やＣＲＴやＬＣＤ等の表示手段により記録した波形データを印刷若しくは表示するレコーダ等の波形観測装置に用いられ、後者の記録方法はトリガ点を基点としてその前後の波形を表示するオシロスコープ等の波形観測装置に用いられる。
【０００４】
図６は従来のロール記録を用いた波形観測装置の原理を示す説明図である。図６中”ＷＶ０１”に示すような波形は順次取り込まれて図６中”ＭＥ０１”に示すようなリングメモリを構成する記憶手段に格納される。そして、取り込まれた波形データは図６中”ＤＳ０１”に示すような表示手段により表示、若しくは、図６中”ＰＲ０１”に示すような印刷手段により印刷される。
【０００５】
また、図７はこのような従来のロール記録を用いた波形記録装置の一例を示す構成ブロック図である。図７において１はＡ／Ｄ変換器、２は制御回路、３はリングメモリを構成する記憶回路、４は表示手段、５は印刷手段、１００はサンプリング信号である。
【０００６】
入力波形（図示せず。）はＡ／Ｄ変換器１に入力され、Ａ／Ｄ変換器１の出力は制御回路２を介して記憶回路３に接続される。また、制御回路２の出力は表示手段４及び印刷手段５にそれぞれ接続され、サンプリング信号１００がＡ／Ｄ変換器１のクロック入力端子に接続される。
【０００７】
ここで、図７に示す従来例の動作を図８を用いて説明する。図８は図７に示す従来例の動作を説明するタイミング図である。図８において（ａ）は記憶回路３の入出力バス信号、（ｂ）はサンプリング信号１００である。
【０００８】
図８中”ＳＰ０１”、”ＳＰ０２”及び”ＳＰ０３”に示すようにサンプリング信号１００のタイミングに基づきＡ／Ｄ変換器１及び制御回路２は入力される入力波形データを取り込み、リングメモリを構成する記憶回路３に入出力バスを介して格納する。
【０００９】
一方、図８中”ＤＰ０１”、”ＤＰ０２”及び”ＤＰ０３”に示すようにサンプリング点の間隙では制御回路２は記憶回路３から表示若しくは印刷すべきデータを読み出して表示手段４若しくは印刷手段５にデータ転送をする。
【００１０】
そして、データの転送を受けた表示手段４はデータ表示を行い、データの転送を受けた印刷手段５はデータをチャート等に印刷する。
【００１１】
この結果、入力波形データをサンプリング信号のタイミングで記憶回路３に取り込み、サンプリングの間隙で表示データ若しくは印刷データを表示手段若しくは印刷手段に転送することにより、ロール記録が可能になりまた、その記録結果を表示若しくは印刷することが可能になる。
【００１２】
一方、図９は従来のヒストリー記録を用いた波形観測装置の原理を示す説明図である。図９中”ＷＶ１１”に示すような波形はトリガタイミングに取り込まれて、図９中”ＭＥ１１”に示す記憶手段にトリガタイミング毎に格納される。
【００１３】
例えば、トリガタイミングにより図９中”ＷＶ２１”，”ＷＶ２２”、”ＷＶ２３”、”ＷＶ２４”及び”ＷＶ２５”に示すような波形データが順次取り込まれ、図９中”ＭＥ２１”，”ＭＥ２２”、”ＭＥ２３”、”ＭＥ２４”及び”ＭＥ２５”に示す記憶手段に順次格納される。
【００１４】
そして、取り込まれた波形データは図９中”ＤＳ１１”に示すような表示手段、表示される。例えば、データの取り込み中は最新のデータを表示し、データ取り込み後にはユーザが指定した波形を選択的に表示する。
【００１５】
また、図１０はこのような従来のヒストリー記録を用いた波形記録装置の一例を示す構成ブロック図である。図１０において１，２，４及び１００は図７と同一符号を付してあり、６はリングメモリを構成する記憶回路、１０１はトリガ信号である。
【００１６】
入力波形（図示せず。）はＡ／Ｄ変換器１に入力され、Ａ／Ｄ変換器１の出力は制御回路２を介して記憶回路６に接続される。また、制御回路２の出力は表示手段４に接続される。
【００１７】
さらに、サンプリング信号１００がＡ／Ｄ変換器１のクロック入力端子に接続され、トリガ信号１０１が制御回路２のトリガ入力端子に接続される。
【００１８】
ここで、図１０に示す従来例の動作を図１１を用いて説明する。図１１は図１０に示す従来例の動作を説明するタイミング図である。図１１において（ａ）は記憶回路６の入出力バス信号、（ｂ）はサンプリング信号１００、（ｃ）はトリガ信号１０１である。
【００１９】
図１１中”ＡＱ１１”、”ＡＱ１２”及び”ＡＱ１３”に示すようにトリガ信号１０１の前後の波形データを複数のサンプリング信号１００のタイミングに基づきＡ／Ｄ変換器１及び制御回路２は一括して取り込み、リングメモリを構成する記憶回路６に入出力バスを介して格納する。
【００２０】
このように、一括して取り込まれたデータは図１１中”ＤＰ１１”、”ＤＰ１２”及び”ＤＰ１３”に示す時点で制御回路２により記憶回路６から表示すべきデータを読み出されて表示手段４にデータ転送され、そして、データの転送を受けた表示手段４はデータ表示を行う。但し、データ転送の間は波形データの取り込み動作は停止している。
【００２１】
【発明が解決しようとする課題】
しかし、図６及び図９に示す従来の波形記録方法ではロール記録とヒストリー記録とは全く異なる記録方法である。すなわち、ロール記録はデータを取り込みながらサンプリング点の間隙でデータ転送を行う方法でトリガには無関係であり、一方、ヒストリー記録はトリガ点のを基点としてその前後の波形をトリガ毎に撮り込む方法であり、１系統の回路で両者が同時に動作することは不可能であると言った問題点があった。このため、従来ではモードを切り換えることにより両者の記録方法を共存させていた。
従って本発明が解決しようとする課題は、ロール記録及びヒストリー記録の両立が可能な波形記録方法並びに波形データ読出方法及びこれを用いた波形観測装置を実現することにある。
【００２２】
【課題を解決するための手段】
このような課題を達成するために、本発明のうち請求項１記載の発明は、
波形データ読出方法において、記憶手段に対してロール記録し前記記憶手段の一部分にトリガ信号の有無を示すデータを格納した波形データの読み出し時に、ロール表示すべきデータを読み出すと共に読み出された波形データのトリガ信号の有無を示すデータをチェックしておき、前記トリガ信号が存在する場合にはトリガ点前後のヒストリー表示すべき範囲を求めてデータを読み出すことにより、ロール表示及びヒストリー表示の両立が可能になる。
【００２３】
請求項２記載の発明は、
波形データ読出方法において、記憶手段に対してロール記録し前記記憶手段のメモリアドレスをトリガ信号に同期してラッチした波形データの読み出し時に、ロール表示すべきデータを読み出すと共にラッチされたメモリアドレスに基づきヒストリー表示すべき範囲を求めてデータを読み出すことにより、ロール表示及びヒストリー表示の両立が可能になる。
【００２４】
請求項３記載の発明は、
波形観測装置において、
記憶手段と、波形を取り込むＡ／Ｄ変換器と、このＡ／Ｄ変換器で取り込んだ波形データを前記記憶手段に対してロール記録すると共に前記記憶手段の一部分にトリガ信号の有無を示すデータを格納する制御回路と、この制御回路からの転送データを表示する表示手段と、前記記憶手段からの出力データから前記トリガ信号の有無を示すデータを検出するトリガアドレス検出回路と、このトリガアドレス検出回路の出力に基づきヒストリー表示すべき範囲を演算して出力する表示開始アドレス演算回路とを備え、前記制御回路が前記記憶手段からロール表示すべきデータを読み出すと共に前記表示開始アドレス演算回路の出力に基づきヒストリー表示すべきデータ読み出して前記表示手段に転送することにより、ロール表示及びヒストリー表示の両立が可能になる。
【００２５】
請求項４記載の発明は、
波形観測装置において、
記憶手段と、波形を取り込むＡ／Ｄ変換器と、このＡ／Ｄ変換器で取り込んだ波形データを前記記憶手段に対してロール記録する制御回路と、ロール記録した前記記憶手段のメモリアドレスをトリガ信号に同期してラッチするトリガアドレスラッチ回路と、ラッチしたメモリアドレスを格納するトリガアドレステーブルと、このトリガアドレステーブルの出力に基づきヒストリー表示すべき範囲を演算して出力する表示開始アドレス演算回路とを備え、前記制御回路が前記記憶手段からロール表示すべきデータを読み出すと共に前記表示開始アドレス演算回路の出力に基づきヒストリー表示すべきデータ読み出して前記表示手段に転送することにより、ロール表示及びヒストリー表示の両立が可能になる。
【００２６】
請求項５記載の発明は、
請求項３及び請求項４記載の発明である波形観測装置において、
前記表示手段が、
前記ロール表示と前記ヒストリー表示とを同一画面上に表示することにより、ロール表示とヒストリー表示とを同一画面で表示することが可能になる。
【００２７】
請求項６記載の発明は、
請求項５記載の発明である波形観測装置において、
ロール表示画面上にトリガ点のマークを付加することにより、ヒストリー表示画面に表示されているヒストリー表示波形との時間的な関係を把握し易くなる。
【００２８】
請求項７記載の発明は、
請求項５記載の発明である波形観測装置において、
ロール表示画面上のロール表示波形のうちヒストリー表示されている部分を範囲表示することにより、ロール表示波形のうちどの部分がヒストリー表示波形として表示されているのかが把握し易くなる。
【００２９】
請求項８記載の発明は、
請求項６記載の発明である波形観測装置において、
前記マークの近傍に履歴表示をすることにより、ヒストリー表示画面に表示されているヒストリー表示波形との関係を把握し易くなる。
【００３６】
【発明の実施の形態】
以下本発明を図面を用いて詳細に説明する。図１は本発明に係る波形記録方法を用いた波形観測装置の一実施例の原理を示す説明図である。図１中”ＷＶ３１”に示すような波形はトリガに関わりなく順次取り込まれて図１中”ＭＥ２１”に示すようなリングメモリを構成するロール記録用の記憶手段に格納される。
【００３７】
一方、図１中”ＷＶ３１”に示すような波形はトリガタイミングに取り込まれて、図１中”ＭＥ２２”に示すヒストリー記録用の記憶手段にトリガタイミング毎に格納される。
【００３８】
そして、ロール記録用の記憶手段に取り込まれた波形データは図１中”ＤＳ２１”に示す表示手段上にロール表示され、ヒストリー記録用の記憶手段に取り込まれた波形データは図１中”ＤＳ２２”に示す表示手段上にヒストリー表示される。
【００３９】
この結果、ロール記録とヒストリー記録を並行して行うことにより、ロール記録及びヒストリー記録の両立が可能になる。このため、波形をロール記録するロール記録手段と、波形をヒストリー記録するヒストリー記録手段とを設けて、両者を並列動作させることにより、ロール記録及びヒストリー記録の両立が可能な波形観測装置が実現できる。また、このため、ロール表示とヒストリー表示とを同一画面で表示することが可能になる。
【００４０】
また、ロール表示とヒストリー表示とを同一画面で表示することにより、ロール表示されている長時間記録中の突発的な不具合を観測することが可能になる。
【００４１】
但し、図１に示す説明図ではロール記録とヒストリー記録を並行動作させるために、図７及び図１０に示す従来例で説明したようなロール記録手段及びヒストリー記録手段と言った２系統の回路構成が必要となり回路規模が大きくなってしまう欠点が存在する。特に、図１中”ＭＥ２１”及び”ＭＥ２２”に示す各記憶手段に格納される波形データには相互に重複が生じてしまう。
【００４２】
図２はこのような問題点を改善した本発明に係る波形記録方法を用いた波形観測装置の一実施例を示す構成ブロック図である。図２において１，２，１００及び１０１は図７と同一符号を付してあり、７は表示手段、８は波形データ記憶回路、９はトリガデータ記憶回路、１０はトリガアドレス検出回路、１１は表示開始アドレス演算回路である。また、８及び９は記憶手段５０を構成している。
【００４３】
入力波形はＡ／Ｄ変換器１に入力され、Ａ／Ｄ変換器１の出力は制御回路２を介して記憶手段５０に接続される。また、制御回路２の出力は表示手段７及びトリガアドレス検出回路１０に接続される。
【００４４】
トリガアドレス検出回路１０の出力は表示開始アドレス演算回路１１に接続され、表示開始アドレス演算回路１１の出力は制御回路２に接続される。
【００４５】
さらに、サンプリング信号１００がＡ／Ｄ変換器１のクロック入力端子に接続され、トリガ信号１０１が制御回路２のトリガ入力端子に接続される。
【００４６】
ここで、図２に示す従来例の動作を図３を用いて説明する。図３は図２に示す実施例の動作を説明するタイミング図である。図３において（ａ）は波形データ記憶回路８の入出力バス信号、（ｂ）はサンプリング信号１００、（ｃ）はトリガ信号１０１、（ｄ）はトリガデータ記憶回路９の入出力バス信号である。
【００４７】
通常、波形記録用の記憶手段５０ではＡ／Ｄ変換器１の最大分解能ビットの値ぎりぎりで設計されることはまれであり、１データ中に数ビットの余りビットが存在する。従って、この余りビット部分にトリガ信号を記録する。
【００４８】
例えば、１データが１６ビットであるとした場合、１５ビットを波形データの記録用の波形データ記憶回路８とし、残りの１ビットをトリガデータの記録用のトリガデータ記憶回路９とする。
【００４９】
図３中”ＳＰ２１”、”ＳＰ２２”及び”ＳＰ２３”に示すようにサンプリング信号１００のタイミングに基づきＡ／Ｄ変換器１及び制御回路２は波形データを波形データ記憶回路８に格納すると共にそのタイミングでのトリガ信号１０１の有無をトリガデータ記憶回路９に格納する。
【００５０】
例えば、図３中”ＳＰ２１”に示すサンプリング時ではトリガ信号１０１は存在しないのでトリガデータ記憶回路９には”０”が格納される。一方、図３中”ＳＰ２２”に示すサンプリング時ではトリガ信号１０１が存在するのでトリガデータ記憶回路９には”１”が格納される。
【００５１】
一方、図３中”ＤＰ２１”、”ＤＰ２２”及び”ＤＰ２３”に示すようにサンプリング点の間隙では制御回路２は記憶手段５０からロール表示すべきデータを読み出して表示手段７にデータ転送をする。
【００５２】
この時、トリガアドレス検出回路１０は読み出された波形データの内トリガデータ記録回路９のデータが”１”であるか否かをチェックする。言い換えれば、読み出された波形データがヒストリー記録を兼ねているかどうかをチェックする。
【００５３】
トリガアドレス検出回路１０によりトリガが検出された場合、表示開始アドレス演算回路１１はトリガ点前後のヒストリー表示すべき範囲を求め、表示すべき先頭のアドレスを演算して制御回路２にその値を戻す。
【００５４】
例えば、図３中”ＲＤ２１”に示すようなロール表示用のデータ転送時点でその直前のサンプリングでトリガが記録されているので、トリガアドレス検出回路１０はそのトリガ記録を検出し、表示開始アドレス演算回路１１はトリガ点前後のヒストリー表示すべき範囲を求め、表示すべき先頭のアドレスを演算して制御回路２にその値を戻す。
【００５５】
その後、図３中”ＨＤ２１”に示すように、制御回路２は表示開始アドレス演算回路１１からの先頭アドレスデータに基づき記憶手段５０からヒストリー表示用データを読み出して表示手段７に転送する。
【００５６】
表示手段７は制御回路２からデータ転送されてくるロール表示用データに基づき図２中”ＲＤＳ１”に示すようにロール表示を行い、制御回路２からデータ転送されてくるヒストリー表示用データに基づき図２中”ＨＤＳ１”に示すようにヒストリー表示を行う。
【００５７】
この結果、１つの回路構成を用い記憶手段５０に対してロール記録を行うと共に余りビット部分にトリガ信号１０１の有無を格納することにより、ロール記録及びヒストリー記録の両立が可能になる。
【００５８】
また、データ読み出し時にロール表示すべきデータを読み出すと共に読み出された波形データがヒストリー記録を兼ねているかどうかをチェックし、ヒストリー記録を兼ねている場合にはトリガ点前後のヒストリー表示すべき範囲を求めてヒストリー表示すべきデータを読み出すことにより、ロール表示及びヒストリー表示の両立が可能になる。
【００５９】
また、図４は本発明に係る波形記録方法を用いた波形観測装置の一実施例を示す構成ブロック図である。図４において１，２，１００及び１０１は図７と同一符号を付してあり、１２は記憶手段、１３はトリガアドレスラッチ回路、１４はトリガアドレステーブル、１５は表示開始アドレス演算回路、１６は表示手段である。
【００６０】
入力波形はＡ／Ｄ変換器１に入力され、Ａ／Ｄ変換器１の出力は制御回路２を介して記憶手段１２に接続される。また、制御回路２の出力のうち波形データは表示手段１６に接続され、メモリアドレスはトリガアドレスラッチ回路１３に接続される。
【００６１】
トリガアドレスラッチ回路１３の出力はトリガアドレステーブル１４に接続され、トリガアドレステーブル１４の出力は表示開始アドレス演算回路１５に接続され、表示開始アドレス演算回路１５の出力は制御回路２に接続される。
【００６２】
さらに、サンプリング信号１００がＡ／Ｄ変換器１のクロック入力端子に接続され、トリガ信号１０１がトリガアドレスラッチ回路１３のトリガ入力端子に接続される。
【００６３】
ここで、図４に示す実施例の動作を説明する。サンプリング信号１００のタイミングに基づきＡ／Ｄ変換器１及び制御回路２は波形データを記憶手段１２にロール記録と同様に順次格納する。
【００６４】
そして、サンプリング点の間隙において制御回路２は記憶手段１２からロール表示すべきデータを読み出して表示手段１６にデータ転送をする。ロール表示すべきデータの転送を受けた表示手段１６はロールデータ表示を行う。
【００６５】
一方、トリガアドレスラッチ回路１３は制御回路２から供給されるメモリアドレスをトリガ信号１０１のタイミングでラッチすると共にそのメモリアドレスをトリガアドレステーブル１４に格納する。
【００６６】
すなわち、トリガアドレステーブル１４に格納されているメモリアドレスに格納されている波形データはトリガ点における波形データと一致することになる。
【００６７】
そして、表示開始アドレス演算回路１５はトリガアドレステーブル１４に格納されているメモリアドレスに基づきトリガ点前後のヒストリー表示すべき範囲を求め、表示すべき先頭のアドレスを演算して制御回路２にその値を戻す。
【００６８】
制御回路２は表示開始アドレス演算回路１５からの先頭アドレスデータに基づき記憶手段１２からヒストリー表示用データを読み出して表示手段１６に転送する。
【００６９】
表示手段１６は制御回路２からデータ転送されてくるロール表示用データに基づき図４中”ＲＤＳ２”に示すようにロール表示を行い、制御回路２からデータ転送されてくるヒストリー表示用データに基づき図４中”ＨＤＳ２”に示すようにヒストリー表示を行う。
【００７０】
この結果、１つの回路構成を用い記憶手段１２に対してロール記録を行うと共に格納されたメモリアドレスをトリガ信号１０１に同期してラッチすることにより、ロール記録及びヒストリー記録の両立が可能になる。
【００７１】
また、データ読み出し時にロール表示すべきデータを読み出すと共にラッチされたメモリアドレスに基づきヒストリー表示すべき範囲を求めてヒストリー表示すべきデータを読み出すことにより、ロール表示及びヒストリー表示の両立が可能になる。
【００７２】
なお、ロール表示画面上でトリガ点のマークを付加しても良い。また、そのトリガマークに履歴番号を付加しても構わない。図５はトリガマークに履歴番号を付加した場合の表示画面の一例を示す説明図である。
【００７３】
例えば、図５中”ＴＭ０１”、”ＴＭ０２”、”ＴＭ０３”、”ＴＭ０４”及び”ＴＭ０５”に示すようなトリガマークを上段のロール表示画面中に表示することにより、下段のヒストリー表示画面に表示されているヒストリー表示波形との時間的な関係を把握し易くなる。
【００７４】
また、例えば、ロール表示波形のうちヒストリー表示されている部分を図５中”ＳＷ０１”に示すように範囲表示することにより、上段に表示されているロール表示波形のうちどの部分が下段に表示されているヒストリー表示波形として表示されているのかが把握し易くなる。
【００７５】
また、例えば、図５中”ＴＭ０１”、”ＴＭ０２”、”ＴＭ０３”、”ＴＭ０４”及び”ＴＭ０５”に示すようなトリガマークの近傍に図５中”ＨＮ０１”，”ＨＮ０２”、”ＨＮ０３”，”ＨＮ０４”及び”ＨＮ０５”に示すような履歴表示をすることにより、下段のヒストリー表示画面に表示されているヒストリー表示波形との関係を把握し易くなる。
【００７６】
【発明の効果】
以上説明したことから明らかなように、本発明によれば次のような効果がある。
請求項１及び請求項３の発明によれば、１つの回路構成を用い記憶手段に対してロール記録し記憶手段の一部分にトリガ信号の有無を示すデータを格納しデータ読み出し時にロール表示すべきデータを読み出すと共に読み出された波形データのトリガ信号の有無を示すデータをチェックしておき、前記トリガ信号が存在する場合にはトリガ点前後のヒストリー表示すべき範囲を求めてヒストリー表示すべきデータを読み出すことにより、ロール表示及びヒストリー表示の両立が可能になる。
【００７８】
また、請求項２及び請求項４の発明によれば、１つの回路構成を用い記憶手段に対してロール記録し格納された記憶手段のメモリアドレスをトリガ信号に同期してラッチしデータ読み出し時にロール表示すべきデータを読み出すと共にラッチされたメモリアドレスに基づきヒストリー表示すべき範囲を求めてヒストリー表示すべきデータを読み出すことにより、ロール表示及びヒストリー表示の両立が可能になる。
【００８０】
また、請求項５の発明によれば、ロール表示とヒストリー表示を同一画面上に表示することにより、ロール表示とヒストリー表示とを同一画面で表示することが可能になる。
【００８１】
また、請求項６の発明によれば、トリガマークをロール表示画面中に表示することにより、ヒストリー表示画面に表示されているヒストリー表示波形との時間的な関係を把握し易くなる。
【００８２】
また、請求項７の発明によれば、ロール表示波形のうちヒストリー表示されている部分を範囲表示することにより、ロール表示波形のうちどの部分がヒストリー表示波形として表示されているのかが把握し易くなる。
【００８３】
また、請求項８の発明によれば、トリガマークの近傍に履歴表示をすることにより、ヒストリー表示画面に表示されているヒストリー表示波形との関係を把握し易くなる。
【００８４】
また、請求項１４の発明によれば、トリガマークの近傍に履歴表示をすることにより、ヒストリー表示画面に表示されているヒストリー表示波形との関係を把握し易くなる。
【図面の簡単な説明】
【図１】本発明に係る波形記録方法を用いた波形観測装置の一実施例の原理を示す説明図である。
【図２】本発明に係る波形記録方法を用いた波形観測装置の一実施例を示す構成ブロック図である。
【図３】実施例の動作を説明するタイミング図である。
【図４】本発明に係る波形記録方法を用いた波形観測装置の一実施例を示す構成ブロック図である。
【図５】トリガマークに履歴番号を付加した場合の表示画面の一例を示す説明図である。
【図６】従来のロール記録を用いた波形観測装置の原理を示す説明図である。
【図７】従来のロール記録を用いた波形記録装置の一例を示す構成ブロック図である。
【図８】従来例の動作を説明するタイミング図である。
【図９】従来のヒストリー記録を用いた波形観測装置の原理を示す説明図である。
【図１０】従来のヒストリー記録を用いた波形記録装置の一例を示す構成ブロック図である。
【図１１】従来例の動作を説明するタイミング図である。
【符号の説明】
１  Ａ／Ｄ変換器
２  制御回路
３，６  記憶回路
４，７，１６  表示手段
５  印刷手段
８  波形データ記憶回路
９  トリガデータ記憶回路
１０  トリガアドレス検出回路
１１，１５  表示開始アドレス演算回路
１２，５０  記憶手段
１３  トリガアドレスラッチ回路
１４  トリガアドレステーブル
１００  サンプリング信号
１０１  トリガ信号
【図１】
0003671416.tif 000002
【図２】
0003671416.tif 000003
【図３】
0003671416.tif 000004
【図４】
0003671416.tif 000005
【図５】
0003671416.tif 000006
【図６】
0003671416.tif 000007
【図７】
0003671416.tif 000008
【図８】
0003671416.tif 000009
【図９】
0003671416.tif 000010
【図１０】
0003671416.tif 000011
【図１１】
0003671416.tif 000012